【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
セルラー電話システム上で電話通信を可能とするコンピュータを利用したセルラー電話機であって、
前記セルラー電話システムは、大きなデータ・ファイルを配信する放送通信の送受信装置を備え、該放送通信のそれぞれは前記送受信装置の範囲にある多数のセルラー電話が同時に受信可能であり、
前記セルラー電話は、機械読み取り可能な電子キーが付与され、前記セルラー電話システムの送受信装置からの放送通信の受信機能を有する取り外し可能な電子補助装置を備え、大きなデータ・ファイルの受信が可能であり、前記電子キーは前記セルラー電話システムの初期化処理を行うことなく放送通信の受信を可能とする
ことを特徴とするコンピュータを利用したセルラー電話機。
【請求項２】
前記セルラー電話は、大きなデータ・ファイルが保存できる十分なメモリを有し、前記電子補助装置は、ＳＩＭカードを有することを特徴とする請求項１に記載のコンピュータを利用したセルラー電話機。
【請求項３】
前記ＳＩＭカードを収容するスロットをさらに備え、
前記ＳＩＭカードは、セルラー電話との方向を決める勾配付きコーナーを備えた板状の構造であり、前記スロットへ挿入される
ことを特徴とする請求項２に記載のコンピュータを利用したセルラー電話機。
【請求項４】
前記ＳＩＭカードは、ＳＩＭカード互換のセルラー電話を少なくとも１つの放送に特有の電話番号によって放送を受信することを可能にし、該ＳＩＭカード互換のセルラー電話に放送受信能力を追加することを特徴とする請求項２に記載のコンピュータを利用したセルラー電話機。
【請求項５】
前記ＳＩＭカードは、放送受信の為のセルラー電話の設定に用いるユーザー識別データやユーザープリファレンスを含むことを特徴とする請求項４に記載のコンピュータを利用したセルラー電話機。
【請求項６】
前記ＳＩＭカードは、プロセッサー、１つ以上のプログラム、ランダム・アクセス・メモリ、ユーザー・データ、プロダクト・インターフェース、及び必要なら電話番号を有し、１つ以上の特定の放送へのアクセスを提供することを特徴とする請求項２に記載のコンピュータを利用したセルラー電話機。
【請求項７】
単一のＳＩＭカード上に、放送アクセス番号を複数提供することを特徴とする請求項２に記載のコンピュータを利用したセルラー電話機。
【請求項８】
前記セルラー電話は、折り畳み可能なスクリーンを有することを特徴とする請求項１に記載のコンピュータを利用したセルラー電話機。
【請求項９】
前記折り畳み可能なスクリーンは、マルチメディア・データを表示するスクリーンを備え、
前記スクリーンは、２つ以上の折り畳み可能な部分に分かれており、開いた状態で１つのスクリーンとして表示される
ことを特徴とする請求項８に記載のコンピュータを利用したセルラー電話機。
【請求項１０】
前記受信装置は、ソフトウェア又はファームウェアのインターフェースが実装され、初期化を必要とせずに、放送の認識や受信が可能となっていることを特徴とする請求項１に記載のコンピュータを利用したセルラー電話機。
【請求項１１】
前記セルラー電話は、ユーザーが操作できる書き込み可能なメモリと、放送の受信とメモリの制御を行う為の制御ソフトウェアが実装され、前記制御ソフトウェアは、ユーザーの選択に基づく受信放送の保存を行ったり行わなかったりすることを特徴とする請求項１に記載のコンピュータを利用したセルラー電話機。
【請求項１２】
前記電子補助装置は、コンピュータを利用したセルラー電話機に、機械的に挿入又は取り付けられ、該セルラー電話機で読み取られることを特徴とする請求項１に記載のコンピュータを利用したセルラー電話機。
【請求項１３】
前記電子キーは、所定の期間、少なくとも特定の１つのチャンネルの受信を可能にする放送個人キーであることを特徴とする請求項１に記載のコンピュータを利用したセルラー電話機。
【請求項１４】
前記放送個人キーは秘密コードを含み、許可される特定の放送は公開コードを含み、前記秘密コードと前記公開コードは、受信装置のロックを解除し、特定の放送を処理して、視聴者に視聴や記録を可能にすることを特徴とする請求項１３に記載のコンピュータを利用したセルラー電話機。
【請求項１５】
ファンクション・キーは、１つ又は複数の特定のチャンネルのワンボタンでのアクセスおよび表示を行うようにプログラムされていることを特徴とする請求項１に記載のコンピュータを利用したセルラー電話機。
【請求項１６】
前記ＳＩＭカードは、２つ以上の放送から、ユーザーが希望の放送を選べるように調整可能であることを特徴とする請求項１に記載のコンピュータを利用したセルラー電話機。
【請求項１７】
前記ＳＩＭカードは、複数の電話番号又は認識コードを持ち、この複数の番号の１つは、通話を受信する為のユーザーの個人的なセルラー電話番号であり、少なくとも２つ目の番号あるいはコードは、マルチメディア放送を受信するために用いられることを特徴とする請求項１に記載のコンピュータを利用したセルラー電話機。
【請求項１８】
前記セルラー電話は、１つ以上の回線を追加する多重回線アダプターを備えたことを特徴とする請求項１に記載のコンピュータを利用したセルラー電話機。
【請求項１９】
大きなデータ・ファイルおよび／または新聞、テレビ、フィルム、マルチメディア・データの閲覧を容易にする広げることが可能なスクリーンを備えたことを特徴とする請求項１に記載のコンピュータを利用したセルラー電話機。
【請求項２０】
受信セルラー放送を見ることができる、テレビ受信装置に内蔵されているか接続されるセルラー電話受信装置を備え、任意で、セルラー電話受信装置は、テレビ受信装置のアンテナ入力に出力することができ、従来の地上、衛星あるいはケーブルテレビ信号を受け取る為の接続を利用することを特徴とする請求項１に記載のコンピュータを利用したセルラー電話機。
【請求項２１】
受信放送データファイルの受信や保存を制御する処理を含み、利用可能なマルチメディア・データの受信放送メニューから、コンピュータ・ユーザーが任意に行った選択に基づく受信放送について、ユーザーがその保存を行ったり、行わなかったり、再生や表示することを可能とし、任意で、その編集を可能とすることを特徴とする請求項１に記載のコンピュータを利用したセルラー電話機。
【請求項２２】
前記機械読み取り可能な電子キーは、電話番号であることを特徴とする請求項１に記載のコンピュータを利用したセルラー電話機。
【請求項２３】
機械読み取り可能な電子キーまたは機械読み取り可能な電子キーと電話番号とでエンコードされ、セルラー電話システム上で電話通信およびセルラー電話放送送信の受信を可能とするコンピュータを利用したセルラー電話受信機の為の取り外し可能な電子補助装置であって、
前記電子補助装置は、ＳＩＭカードを備え、
前記ＳＩＭカードは、ＳＩＭカード互換のセルラー電話を少なくとも１つの放送に特有の電話番号によって放送を受信することを可能にし、該ＳＩＭカード互換のセルラー電話に該セルラー電話が持っていない放送受信能力を追加し、
前記電子キーは、前記セルラー電話システムから該セルラー電話システムの初期化処理を行うことなく大きなデータ・ファイルの放送通信の受信を可能とする
ことを特徴とする電子補助装置。
【請求項２４】
前記セルラー電話受信機は、セルラー電話からなることを特徴とする請求項２３に記載の電子補助装置。
【請求項２５】
前記ＳＩＭカードは、前記セルラー電話との方向を決める勾配付きコーナーを備えた板状の構造であり、前記セルラー電話の後ろのスロットへ挿入されることを特徴とする請求項２４に記載の電子補助装置。
【請求項２６】
前記ＳＩＭカードは、大きなデータ・ファイルを保存でき、複数の放送アクセス番号を有することを特徴とする請求項２４に記載の電子補助装置。
【請求項２７】
前記ＳＩＭカードは、プロセッサー、１つ以上のプログラム、ランダム・アクセス・メモリ、ユーザー・データ、プロダクト・インターフェース、電話番号を有し、１つ以上の特定の放送へのアクセスを提供することを特徴とする請求項２４に記載の電子補助装置。
【請求項２８】
放送アクセス番号は、単一のＳＩＭカードの上に、複数提供されることを特徴とする請求項２４に記載の電子補助装置。
【請求項２９】
放送方法であって、
ａ）セルラー電話システムからセルラー電話を備えたユーザー群に大きなデータ・ファイルを送信するのに地上または衛星上のセルラー電話送信機を利用し、各ユーザのセルラー電話は、
ｉ）放送通信の受信を可能にする機械読み取り可能な電子キーが付与された取り外し可能な電子補助装置と、
ｉｉ）前記セルラー電話システムの初期化処理を行うことなくセルラー電話システムからの放送通信の受信を可能とする能力と
を有し、
ｂ）大きなデータ・ファイルの放送通信を行う前に、前記電子キーを前記ユーザに配布し、信号範囲内のセルラー電話を備えたユーザーに同時に受信される１つ以上の放送を、特定の地上又は衛星上の送信機から行う
ことを特徴とする放送方法。
【請求項３０】
複数のチャンネルが、前記送信機の範囲内の個々の受信機へ同時に放送されることを特徴とする請求項２９に記載の放送方法。
【請求項３１】
前記放送は、前もって電子キーを受け取り、これにより特定の放送又は１つ以上の放送チャンネルの受信が許可されたユーザーの為に作成され、受信されることを特徴とする請求項２９に記載の放送方法。
【請求項３２】
前記電子キーは、サービス・プロバイダーまたはコンテンツ・プロバイダーによって配布され、
各セルラー電話は、個人毎にユニークな電子的な放送個人キーであって、予め定めた期間、例えば、ショーやイベントの間に、１つ以上の特定の放送チャンネルあるいは特定のチャンネルのコンテンツの受信を可能とする
ことを特徴とする請求項２９に記載の放送方法。
【請求項３３】
サービス・プロバイダーまたはコンテンツ・プロバイダーが、小売販売、卸売、通信販売あるいはインターネット経由で、ＳＩＭカードを前記セルラー電話機のユーザーへ配布することを特徴とする請求項２９に記載の放送方法。
【請求項３４】
前記サービス・プロバイダーまたはコンテンツ・プロバイダーによって、送信された夫々の放送が、前記ＳＩＭカードに組み込まれた前記電子キーによってアクセス可能なように、エンコードされており、
前記ＳＩＭカードは、特定の放送か特定の放送サービスに関連させ、任意で、その目的でマークされ、パッケージされ、売り込みがなされる
ことを特徴とする請求項３３に記載の放送方法。
【請求項３５】
複数のサービスに対して、複数のタイプのＳＩＭカードが利用可能であり、ユーザーは、適切なＳＩＭカードを選ぶことにより、サービスを選ぶことができることを特徴とする請求項２９に記載の放送方法。
【請求項３６】
前記ユーザーは、セルラー電話に前記選択したＳＩＭカードを挿入し、複数の放送に特有の電話番号の中の１つを選択することにより、前記サービス・プロバイダーによって送信され選択した放送の受信を行うことを特徴とする請求項３５に記載の放送方法。
【請求項３７】
前記放送は、テキスト・メッセージ、有名人との通話、マルチメディア・コンテンツ、テレビ、ビデオ、サウンド、音楽、新聞、コンピュータゲーム、１つ以上の物語あるいはそれらの複数の組み合わせであることを特徴とする請求項２９に記載の放送方法。
【請求項３８】
前記放送の受信には、前記サービス・プロバイダーとの初期化処理の為の受信を行う必要がないことを特徴とする請求項２９に記載の放送方法。
【請求項３９】
前記セルラー電話は、利用可能なプログラム、チャンネルあるいはイベントの受信を可能とするチューニング可能なＳＩＭカードを採用し、
前記ユーザーは、放送の選択を行うことができる
ことを特徴とする請求項２９に記載の放送方法。
【請求項４０】
前記セルラー電話のユーザは、サービス・プロバイダーとの初期化処理を行う必要のないマルチメディア放送を受信するための番号と接続し、１つ以上の放送が、送信エリア内のユーザーで受信可能であり、放送の電話番号又は認識コードが、特定の放送か放送チャンネルに関連付けられており、送信エリア内のすべてのユーザーが同じ電話番号又は認識コードを使用して放送を受信し、放送は送信エリア内の複数のユーザーに送信され、こられのユーザーが、セルラー電話サービス・プロバイダーによって同時に送信されたディジタル・マルチメディア放送情報を受信できることを特徴とする請求項２９に記載の放送方法。
【請求項４１】
複数の放送を受信できる多重チャンネルＳＩＭカードを採用したことを特徴とする請求項２９に記載の放送方法。
【請求項４２】
特定のユーザーのみを対象とし、特定のユーザーのみによって受信される個人向けメッセージや他の通信を、任意でエンコードすることにより、放送に埋め込むことを特徴とする請求項２９に記載の放送方法。
【請求項４３】
大きなデータ・ファイルを配信する放送通信の送受信装置と、
前記放送を受信する多数の請求項１に記載のコンピュータを利用したセルラー電話機と
を備えたことを特徴とするセルラー電話システム。
【請求項４４】
ファイル保存、記録再生、表示、音の発生等の１以上のデータ加工能力を有するコンピュータと通信する１以上のセルラー電話機をさらに備えたことを特徴とする請求項４３に記載のセルラー電話システム。
【請求項４５】
前記１以上のセルラー電話機は、デスクトップコンピュータまたはラップトップコンピュータで内蔵または外付けの無線カードがインストールされたコンピュータを包含するセルラー電話機であることを特徴とする請求項４４に記載のセルラー電話システム。
【請求項４６】
受信機として利用できるコンピュータであって、
セルラー電話システム上で電話通信を可能とするセルラー電話機を備え、
前記セルラー電話システムは、前記送受信装置の範囲内の多数のセルラー電話ユーザが同時に受信可能で大きなデータ・ファイルを配信する放送通信の送受信装置を備え、
前記セルラー電話は、セルラー電話システムからの放送通信を受信し、該受信した通信を前記コンピュータに伝達する能力を有するとともに機械読み取り可能な電子キーが付与された取り外し可能な電子補助装置を有し、大きなデータ・ファイルの受信が可能であり、
前記電子キーは前記セルラー電話システムの初期化処理を行うことなく、前記放送送信の受信を可能とする
ことを特徴とする受信機として利用できるコンピュータ。
【請求項４７】
前記コンピュータは、ファイル保存、記録再生、表示、音の発生等の１以上のデータ加工能力を有することを特徴とする請求項４６に記載の受信機として利用できるコンピュータ。
【請求項４８】
前記セルラー電話機の機能は、デスクトップコンピュータまたはラップトップコンピュータに内蔵または外付けされる無線カードに含まれることを特徴とする請求項４６に記載の受信機として利用できるコンピュータ。